(57)【要約】【課題】アイコン操作により作画補助用ウインドウの表示／非表示の制御を容易かつ確実に行うことを可能とすること。【解決手段】本方法は、作画ソフトがインストールされたパーソナルコンピュータの画面上に作画補助用のウインドウ２４−２７をアイコン２８−３１の操作により表示／非表示に制御するウインドウ制御方法において、上記アイコン２８−３１と、このアイコン２８−３１の操作に対応したウインドウ２４−２７とに、ユーザーがアイコン操作を行うに際して対応付けすることを可能にする表示色を施す方法である。【選択図】図３
2007280091.tif 000002
【特許請求の範囲】
【請求項１】
表示画面にウインドウをアイコンの操作により表示／非表示に制御するウインドウ制御方法において、上記アイコンと上記アイコンの操作で表示／非表示するウインドウとの双方に、該双方それぞれを対応付ける表示色を付ける、ことを特徴とするウインドウ制御方法。
【請求項２】
上記アイコンとウインドウとの双方それぞれに付ける表示色が同一の表示色である、ことを特徴とする請求項１に記載のウインドウ制御方法。
【請求項３】
上記アイコンに付ける表示色のパターンと、上記ウインドウに付ける表示色のパターンとを同形状とする、ことを特徴とする請求項１または２に記載のウインドウ制御方法。
【請求項４】
表示画面に複数のウインドウをそれぞれに対応する複数のアイコンにより個別に表示／非表示し、対応するウインドウとアイコンとを同一の表示色で対応付けし、対応しないウインドウとアイコンとを異なる表示色で対応付けする、ことを特徴とする請求項１ないし３のいずれかに記載のウインドウ制御方法。
【請求項５】
グラフィカルユーザーインタフェース形式のオペレーティングシステム上で動く作画ソフトにより編集画面を表示し、この編集画面に作画領域を生成し、この作画領域における作画補助のために複数のウインドウを表示／非表示可能とし、複数のウインドウそれぞれに個別に対応した複数のアイコン操作により個別に表示／非表示可能とした作画装置において、
対応するウインドウとアイコンとの双方には同一の表示色を付し、対応しないウインドウとアイコンとの双方には異なる表示色を付す、ことを特徴とする作画装置。
【発明の詳細な説明】
【技術分野】
【０００１】
本発明は、画面上の各ウインドウを各アイコン操作により選択的に表示／非表示制御されるウインドウの制御方法に関するものである。この作画補助用ウインドウは、パーソナルコンピュータの表示画面上の編集画面に表示されて作画補助に用いるウインドウである。本発明は、このような作画補助用ウインドウが編集画面に複数表示されている場合に、それら複数の作画補助用ウインドウをウインドウ制御用アイコンで表示／非表示制御するに際して、任意のアイコンの選択操作を容易に実行可能とすることに関するものである。
【背景技術】
【０００２】
グラフィカルユーザーインタフェース形式のオペレーティングシステム上で動く作画ソフトがインストールされたコンピュータではそのコンピュータ画面上に編集画面を表示し、その編集画面上でユーザが独自に画面データを作成することができる。この編集画面上の作画領域での作画の補助にオブジェクトリストやその他の作画補助用ウインドウが作画に必要になって表示したりあるいは不要となって非表示にするとき、ツールバーにその表示／非表示に用いるウインドウ制御用アイコンを配置し、そのウインドウ制御用アイコンの表示位置にまでカーソルを移動し、カーソルがウインドウ制御用アイコンの表示位置上に位置したときにマウスのクリック等のポインティングデバイスの操作(アイコン操作)により表示／非表示にする(特許文献１)。しかしながら、編集画面上に複数の作画補助用ウインドウが表示されている場合、表示／非表示する対象となる作画補助用ウインドウに対応するウインドウ制御用アイコンがどれであるかを探すまでに時間がかかり、また、間違えて表示／非表示の対象外である作画補助用ウインドウに対応するウインドウ制御用アイコンを操作する場合があり、作画に労力がかかる。
【特許文献１】特開平１０−２９３６７８
【発明の開示】
【発明が解決しようとする課題】
【０００３】
本発明により解決すべき課題は、アイコン操作により作画補助用ウインドウの表示／非表示の制御を容易かつ確実に行うことを可能とすることである。
【課題を解決するための手段】
【０００４】
本発明にかかるウインドウ制御方法は、表示画面にウインドウをアイコンの操作により表示／非表示に制御するウインドウ制御方法において、上記アイコンと上記アイコンの操作で表示／非表示するウインドウとの双方に、該双方それぞれを対応付ける表示色を付けることを特徴とする。
【０００５】
この表示色の付し方は特に限定しないが、アイコンやウインドウの一部でも全体でもよい。この表示色に絵柄を含ませてもよいが、絵柄を含む必要はなく、対応付けする部分を全体が単純なパターンで単一の表示色でベタ配色することが好ましい。
【０００６】
本発明によれば、ユーザーがアイコン操作によりウインドウを表示／非表示に制御するに際しては、アイコンとそれに対応したウインドウそれぞれの表示色を対応付けするので、例えば編集画面上に複数の作画補助用のウインドウが複数表示されている場合、それら複数のウインドウの中から所望のウインドウを選択して編集画面から表示／非表示するには、当該所望のウインドウの表示色と対応した表示色を持つアイコンを視覚による表示色区別で選択操作すればよく、視覚による直感的な判断での所望のウインドウの表示／非表示の選択操作となり、作画に際しての負担を低減することができるようになる。
【０００７】
例えばアイコンとウインドウとを対応付けするのに絵柄があるが、絵柄の場合では絵柄の同一性の判断に時間がかかり、作業が疲れる。
【０００８】
上記アイコンとウインドウとの双方それぞれに付ける表示色を同一の表示色とすることが好ましい。同一の表示色とすると、よりユーザー操作に好ましい。
【０００９】
上記アイコンに付ける表示色のパターンと、上記ウインドウに付ける表示色のパターンとを同形状とすることが好ましい。パターンを同パターンとすると、よりユーザー操作に好ましい。
【００１０】
表示画面に複数のウインドウをそれぞれに対応する複数のアイコンにより個別に表示／非表示し、対応するウインドウとアイコンとを同一の表示色で対応付けし、対応しないウインドウとアイコンとを異なる表示色で対応付けすることが好ましい。ウインドウが複数で、これら複数のウインドウを別々のアイコンで表示／非表示制御する場合、所望のウインドウを表示／非表示制御する場合、当該ウインドウドウの表示色と同一の表示色のアイコンを操作するだけでよいので、ウインドウ制御のためのユーザー操作を極めて容易化することができる。
【発明の効果】
【００１１】
本発明によると、ウインドウに付されている表示色と対応する表示色のアイコンを操作すれば、所望するウインドウの表示／非表示を行うことができるから、ウインドウの表示／非表示操作が容易化する。
【発明を実施するための最良の形態】
【００１２】
以下、添付した図面を参照して本発明の実施の形態に係るウインドウ制御方法を詳細に説明する。
【００１３】
図１を参照して、同図には、パーソナルコンピュータ（外部ＰＣ）１と、表示器２と、プログラマブルコントローラ（ＰＬＣ）３と、外部機器４とが示されている。これらにより外部機器４を制御する制御システムが構築される。外部ＰＣ１としてはデスクトップ、キーボードおよびマウスを装備した通常の制御システム用ＰＣを用いることができる。表示器２はＨＭＩ機器としてのプログラマブル表示器やパネルコンピュータのような表示器である。表示器２は、外部機器４を制御するＰＬＣ３に接続される。表示器２は、その表示画面２ａ上に、外部機器４の操作状況を表示したり外部機器４を操作したりする部品２ｂ等が表示されている。この部品２ｂは、外部機器４と操作者とのインタフェースを形成するＨＭＩ部品である。ＰＬＣ３はシーケンスプログラムに従い、外部機器４に対して所要の制御動作を行うようになっている。外部機器４にはセンサ、リレー、その他の機器がある。外部機器４からＰＬＣ３には外部機器４の状況を示すデータが入力される。ＰＬＣ３はそのデータを表示器２に、また、表示器２を介して、外部ＰＣ１に送信することができる。
【００１４】
以上において、外部ＰＣ１は、上記制御システムにおけるホストコンピュータとしての機能以外に、表示器２の表示画面の設計を行う作画ツールとして機能することができる。なお、作画ツールを外部ＰＣ１ではなく別途のパーソナルコンピュータで構成し、この作画ツールで作画した画面データを表示器２に転送するようにしてもよい。また、表示器２に作画ソフトを記憶させておき、外部ＰＣ１にその作画ソフト５をインストールすることができるようにしてもよい。作画ソフトはグラフィカルユーザーインタフェース（ＧＵＩ）形式のオペレーティングシステム上で動く作画ソフトである。
【００１５】
図２を参照して外部ＰＣ１を上記作画ソフトにより編集画面上に作画する作画装置とした場合のブロック図を説明する。この作画ソフトはＧＵＩ形式であり、例えばマッキントッシュ、ＭＳ−Ｗｉｎｄｏｗｓ（登録商標）、ＵＮＩＸ（登録商標）のＸ−ＷＩＮＤＯＷである。これらＧＵＩはユーザがコンピュータを現実の作業環境に近い感覚で操作できるインターフェースを提供する。
【００１６】
作画装置は、ＣＰＵ１１、表示部１２、マウス１３、キーボード１４、ウインドウメモリ１５、およびアイコンメモリ１６を有する。ＣＰＵ１１は作画ソフトに従い、表示部１２の表示画面上に編集画面を表示制御し、その編集画面に作画領域と複数のウインドウ(マルチウインドウ)とを表示制御することができる。ウインドウメモリ１５は、図３以降に示す複数ウインドウの画面情報を記憶している。アイコンメモリ１６は図３以降に示す複数のアイコンの画面情報を記憶している。このウインドウの画面情報とアイコンの画面情報とにおいて、ウインドウメモリ１５とアイコンメモリ１６は、図３以降で示す編集画面上で複数のウインドウと複数のアイコンそれぞれを対応付けるための表示色情報を記憶している。ＣＰＵ１１はマウス１３やキーボード１４の操作に従い、その操作に対応したイベント入力により、図３以降で示すようにウインドウの表示／非表示の制御を行う。なお、メモリ１５，１６の形態は特に限定しない。マウス１３、キーボード１４はポインティングデバイスであり、アイコン操作に用いるが、タッチパネルであれば、ユーザーによるタッチ操作もそのアイコン操作用のデバイスに含めることができる。
【００１７】
図３を参照してＣＰＵ１１による表示部１２の表示画面上に表示した編集画面を用いた画面データの作成等について説明する。
【００１８】
図３に外部ＰＣ１の表示部１２の表示画面上に表示した編集画面２０を示す。この編集画面２０は、その上部にメニューバー２１が表示されている。メニューバー２１にはファイル、編集、表示、ツール、オブジェクト、画面、データベース、セットアップ、パネル、ウインドウ、ヘルプのメニュー項目が含まれている。所望のメニュー項目を選択するとプルダウンリストが開き、当該項目に含まれるコマンドの一覧が表示される。コマンド一覧から所望のコマンドを選択して実行する。実施の形態ではそのコマンドの一覧の図示は略する。メニューバー２１の下方にはツールバー２２が表示されている。ツールバー２２に含まれるアイコンをクリックすると、所望のコマンドを起動することができる。特に、このツールバー２２には言語設定があり、多言語の中から所望する言語に設定することができる。
【００１９】
さらに編集画面２０はその中央側が作画領域２３となり、この作画領域２３の両側に、作画補助用のウインドウ２４，２５，２６，２７を表示／非表示可能としている。ウインドウ２４は、機能ウインドウとしてナビゲーションウインドウであり、プレビュー部２４ａと、設定操作部２４ｂとから構成されている。プレビュー部２４ａは、画面、背景画面をプレビューするものである。設定操作部２４ｂは、詳しい説明は略するが、画面設定操作部と、背景画面設定操作部と、背景色設定操作部とからなる。これらにより、同一の作画領域２３上に画面、その背景画面およびその背景色の３つの画面要素を組み合わせた最終的な状態を表示可能とし、作画領域２３上で上記表示状態を閲覧しつつ、上記画面の編集と、背景画面の表示／非表示および設定／変更と、背景色の表示／非表示および選択／変更とを、メニューから機能選択せずかつ別途にウインドウを開かずに行うことを可能とし、すべての画面要素（画面、背景画面、背景色）を組み合わせて最終的に表示される状態を、同一の編集画面上でシームレスに編集することができるようにしたものである。
【００２０】
ナビゲーションウインドウ２４は右上隅に閉じるボタンを有すると共に左上隅に矩形枠状のパターンで赤色が表示されている。この赤色パターンは当該ウインドウ２４を表示／非表示するアイコンに対応付けする対応付け部分ＲＷとなる。
【００２１】
ウインドウ２５，２６，２７は、それぞれ、機能ウインドウとして、オブジェクトリスト表示ウインドウ、パーツリスト表示ウインドウおよびオブジェクトヘルプ表示ウインドウである。
【００２２】
オブジェクトリスト表示ウインドウ２５には、作画編集に用いる線、四角形、ボタン等のオブジェクトがリスト表示されている。このオブジェクトリスト表示ウインドウ２５は右上隅に閉じるボタンを有すると共に左上隅に矩形枠状のパターンで表示色として緑色が表示されている。この緑色パターンは当該ウインドウ２５を表示／非表示するアイコンに対応付けする対応付け部分ＧＷとなる。
【００２３】
パーツリスト表示ウインドウ２６には作画編集に用いるボタン，ラベル，入力エリア，スケール，スイッチ，ラジオボックス，メニュー，セパレータ等の部品（図示略）がリスト表示されている。このパーツリスト表示ウインドウ２６は右上隅に閉じるボタンを有すると共に左上隅に矩形枠状のパターンで表示色として青色が表示されている。この青色パターンは当該ウインドウ２６を表示／非表示するアイコンに対応付けする対応付け部分ＢＷとなる。
【００２４】
オブジェクトヘルプ表示ウインドウ２７には作画編集中に作画領域２３に表示したオブジェクトの機能が不明な場合やその他の場合、当該オブジェクトをハンドル表示等により特定することにより、そのオブジェクトの機能の説明文章を選択設定した言語で表示する領域である。このオブジェクトヘルプ表示ウインドウ２７は右上隅に閉じるボタンを有すると共に左上隅に矩形枠状のパターンで表示色として黄色が表示されている。この黄色パターンは当該ウインドウ２７を表示／非表示するアイコンに対応付けする対応付け部分ＹＷとなる。
【００２５】
これらウインドウ２４ないし２７それぞれの対応付け部分ＲＷ，ＧＷ，ＢＷ，ＹＷそれぞれの表示色は、当該ウインドウ２４ないし２７それぞれを表示／非表示制御するアイコン２８ないし３１それぞれに対応付けるものであり、この対応付け部分の表示色はアイコン操作の対象となるウインドウを対応付けする目印となる。
【００２６】
以上の構成において、本実施の形態では、ツールバー２２に複数のウインドウ表示／非表示制御用のアイコン２８，２９，３０，３１を並設している。
【００２７】
ナビゲーションウインドウ制御用のアイコン２８は矩形枠状のパターンで表示色が赤色のマークが表示され、ナビゲーションウインドウ２４の表示／非表示制御用である。この表示色部分は当該アイコン２８とウインドウ２４とを対応付けする対応付け部分ＲＩとなる。
【００２８】
オブジェクトリスト制御用のアイコン２９には矩形枠状のパターンで表示色が緑色のマークが表示され、オブジェクトリスト表示ウインドウ２５の表示／非表示制御用である。この表示色部分は当該アイコン２９とウインドウ２５とを対応付けする対応付け部分ＧＩとなる。
【００２９】
パーツリスト制御用のアイコン３０には矩形枠状のパターンで表示色が青色のマークが表示され、パーツリスト表示ウインドウ２６の表示／非表示制御用である。この表示色部分は当該アイコン３０とウインドウ２６とを対応付けする対応付け部分ＢＩとなる。
【００３０】
オブジェクトヘルプ制御用のアイコン３１には矩形枠状のパターンで表示色が黄色のマークが表示され、オブジェクトヘルプ表示ウインドウ２７の表示／非表示制御用である。この表示色部分は当該アイコン３１とウインドウ２７とを対応付けする対応付け部分ＹＩとなる。
【００３１】
なお、赤、緑、青、黄色は図解の都合で、それぞれ異なるハッチングを付して表示色を区別している。
【００３２】
以上のように実施の形態では各ウインドウ制御用のアイコン２８ないし３１それぞれと、このアイコン２８ないし３１の操作に対応したウインドウ２４ないし２７とに、ユーザーがアイコン操作を行うに際して同一の表示色で対応付けしたことを特徴とするものである。
【００３３】
以下、図４を参照して各ウインドウ２４ないし２７それぞれの表示／非表示を説明する。
【００３４】
図４ないし図６はアイコン３１を操作してオブジェクトヘルプ表示ウインドウ２７の表示／非表示する場合を示す。図４は説明の理解のためアイコン２８−３１のみを拡大して示し、図５はアイコン３１がオフ操作されてオブジェクトヘルプ表示ウインドウ２７が非表示になっている。図６はアイコン３１がオン操作されてオブジェクトヘルプ表示ウインドウ２７が表示されている。マウス１３やキーボード１４の操作により、カーソルをアイコン３１上に位置させる場合、ユーザは、オブジェクトヘルプ表示ウインドウ２７の左上の対応付け部分ＹＷの表示色「黄色」と対応する対応付け部分ＹＩの表示色が「黄色」のアイコン３１を選択操作する。
【００３５】
ＣＰＵ１１はこのアイコン３１の操作信号を受け付けると、オブジェクトヘルプ表示ウインドウ２７の表示／非表示であるかいなかを判断し、図５で示すようにオブジェクトヘルプ表示ウインドウ２７が非表示であればアイコン３１がオフであるとして、図６のようにオブジェクトヘルプ表示ウインドウ２７を表示する。また、図６で示すようにオブジェクトヘルプ表示ウインドウ２７が表示であればアイコン３１がオンであるとして、図５のようにオブジェクトヘルプ表示ウインドウ２７を非表示に制御する。
【００３６】
図７ないし図９はアイコン２８を操作してナビゲーションウインドウ２４の表示／非表示する場合を示す。図７は説明の理解のためアイコン２８−３１のみを拡大して示し、図８はアイコン３１がオフ操作されてナビゲーションウインドウ２４が非表示になっている。図９はアイコン３１がオン操作されてナビゲーションウインドウ２４が表示されている。マウス１３やキーボード１４の操作により、カーソルをアイコン２８上に位置させる場合、ユーザは、ナビゲーションウインドウ２４の左上の対応付け部分ＲＷの表示色「赤」と対応する対応付け部分ＲＩの表示色が「赤」のアイコン３１を選択操作する。
【００３７】
ＣＰＵ１１はこのアイコン２８の操作信号を受け付けると、ナビゲーションウインドウ２４の表示／非表示であるかいなかを判断し、図８で示すようにナビゲーションウインドウ２４が非表示であればアイコン２８がオフであるとして、図９のようにナビゲーションウインドウ２４表示する。また、図９で示すようにナビゲーションウインドウ２４が表示であればアイコン２８がオンであるとして、図８のようにナビゲーションウインドウ２４を非表示に制御する。
【００３８】
図１０ないし図１２はアイコン２９を操作してオブジェクトリスト表示ウインドウ２５の表示／非表示する場合を示す。図１０は説明の理解のためアイコン２８−３１のみを拡大して示し、図１１はアイコン２９がオフ操作されてオブジェクトリスト表示ウインドウ２５が非表示になっている。図１２はアイコン２９がオン操作されてオブジェクリスト表示ウインドウ２５が表示されている。マウス１３やキーボード１４の操作により、カーソルをアイコン２９上に位置させる場合、ユーザは、オブジェクトリスト表示ウインドウ２５の左上の対応付け部分ＧＷの表示色「緑色」と対応する対応付け部分ＧＩの表示色が「緑色」のアイコン２９を選択操作する。
【００３９】
ＣＰＵ１１はこのアイコン２９の操作信号を受け付けると、オブジェクトリスト表示ウインドウ２５の表示／非表示であるかいなかを判断し、図１１で示すようにオブジェクトリスト表示ウインドウ２５が非表示であればアイコン２９がオフであるとして、図１２のようにオブジェクトリスト表示ウインドウ２５を表示する。また、図１２で示すようにオブジェクトリスト表示ウインドウ２５が表示であればアイコン２９がオンであるとして、図１１のようにオブジェクトリスト表示ウインドウ２５を非表示に制御する。
【００４０】
図１３ないし図１５はアイコン３０を操作してパーツリスト表示ウインドウ２６の表示／非表示する場合を示す。図１３は説明の理解のためアイコン２８−３１のみを拡大して示し、図１４はアイコン３０がオフ操作されてパーツリスト表示ウインドウ２６が非表示になっている。図１５はアイコン３０がオン操作されてパーツリスト表示ウインドウ２６が表示されている。マウス１３やキーボード１４の操作により、カーソルをアイコン３０上に位置させる場合、ユーザは、パーツリスト表示ウインドウ２６の左上の対応付け部分ＢＷの表示色「青色」と対応する対応付け部分ＢＩの表示色が「青色」のアイコン３０を選択操作する。
【００４１】
ＣＰＵ１１はこのアイコン３０の操作信号を受け付けると、パーツリスト表示ウインドウ２６の表示／非表示であるか否かを判断し、図１４で示すようにパーツリスト表示ウインドウ２６が非表示であればアイコン３０がオフであるとして、図１５のようにパーツリスト表示ウインドウ２６を表示する。また、図１５で示すようにパーツリスト表示ウインドウ２６が表示であればアイコン３０がオンであるとして、図１４のようにパーツリスト表示ウインドウ２６を非表示に制御する。
【００４２】
本実施の形態によれば、ユーザーがアイコン操作によりウインドウ２４ないし２７を表示／非表示に制御操作に際しては、アイコン２８ないし３１とそれに対応したウインドウ２４ないし２７それぞれの表示色が対応付けされているので、例えば編集画面上に複数の作画補助用のウインドウが表示されている場合、所望のウインドウを編集画面から表示／非表示するときに、それに対応したアイコンを表示色で容易に選択して操作することができ、また、間違えて表示／非表示の対象外である作画補助用のウインドウを表示／非表示することも少なくなり、作画労力を低減することができる。
【図面の簡単な説明】
【００４３】
【図１】図１は外部ＰＣ、表示器、ＰＬＣおよび外部機器を含む制御システムを示す図である。
【図２】図２は図１の外部ＰＣを作画装置とした場合のブロック図である。
【図３】図３は外部ＰＣ上の編集画面であり作画領域と全ウインドウとが表示されている表示状態を示す図である。
【図４】図４は外部ＰＣ上の編集画面でありオブジェクトヘルプ表示ウインドウの表示／非表示においてアイコンを拡大して示す図である。
【図５】図５は図４でアイコンがオフ操作されてオブジェクトヘルプウインドウが非表示になっている図である。
【図６】図６は図４でアイコンがオン操作されてオブジェクトヘルプウインドウが表示されている図である。
【図７】図７は外部ＰＣ上の編集画面でありナビゲーションウインドウの表示／非表示においてアイコンを拡大して示す図である。
【図８】図８は図７でアイコンがオフ操作されてナビゲーションウインドウが非表示になっている図である。
【図９】図９は図７でアイコンがオン操作されてナビゲーションウインドウが表示されている図である。
【図１０】図１０は外部ＰＣ上の編集画面でありオブジェクトリスト表示ウインドウの表示／非表示においてアイコンを拡大して示す図である。
【図１１】図１１は図１０でアイコンがオフ操作されてオブジェクトリスト表示ウインドウが非表示になっている図である。
【図１２】図１２は図１０でアイコンがオン操作されてオブジェクトリスト表示ウインドウが表示されている図である。
【図１３】図１３は外部ＰＣ上の編集画面でありパーツリスト表示ウインドウの表示／非表示においてアイコンを拡大して示す図である。
【図１４】図１４は図１３でアイコンがオフ操作されてパーツリスト表示ウインドウが非表示になっている図である。
【図１５】図１５は図１３でアイコンがオン操作されてパーツリスト表示ウインドウが表示されている図である。
【符号の説明】
【００４４】
１  外部ＰＣ
２  表示器
２ｂ  ＨＭＩ部品
３  ＰＬＣ
４  外部機器
【図１】
2007280091.tif 000003
【図２】
2007280091.tif 000004
【図３】
2007280091.tif 000005
【図４】
2007280091.tif 000006
【図５】
2007280091.tif 000007
【図６】
2007280091.tif 000008
【図７】
2007280091.tif 000009
【図８】
2007280091.tif 000010
【図９】
2007280091.tif 000011
【図１０】
2007280091.tif 000012
【図１１】
2007280091.tif 000013
【図１２】
2007280091.tif 000014
【図１３】
2007280091.tif 000015
【図１４】
2007280091.tif 000016
【図１５】
2007280091.tif 000017